(57)【要約】【課題】外付け部品を用いることなく、携帯端末の使用目的に応じて種々の形態で載置することができるようにする。【解決手段】脚部３は、第１の筐体部１の両側部のほぼ中央部に設けられた第１の回転軸５を中心として回動可能に一端部を支持され、前記中央部から第１の筐体部１の下側半分の側部に沿ってほぼ第１の筐体部１の下端まで伸びる。この脚部３の第１の回転軸５から前面側に所定距離だけ離れた位置において、第２の回転軸４を中心として第２の筐体部２が回動可能となるようにその両側部下端を脚部３で支持した。【選択図】図３
2010171698.tif 000002
【特許請求の範囲】
【請求項１】
第１の筐体部と、
第２の筐体部と、
前記第１の筐体部の両側部のほぼ中央部に設けられた第１の回転軸を中心として回動可能に一端部を支持され、前記中央部から前記第１の筐体部の下側半分の側部に沿ってほぼ前記第１の筐体部の下端まで伸びる脚部とを備え、
この脚部の前記第１の回転軸から前面側に所定距離だけ離れた位置において、第２の回転軸を中心として前記第２の筐体部が回動可能となるようにその両側部下端を脚部で支持した
携帯端末装置。
【請求項２】
前記脚部は前記第１の筐体の下側半分の周囲を囲むように配置されたＵ字状部材である請求項１に記載の携帯端末装置。
【請求項３】
前記所定距離は、前記脚部の長手方向を前記第１の筐体部の側部に沿うように前記脚部を位置させたとき、前記第２の筐体部の下端部と前記第１の筐体部の主表面との間に所定の間隙が生じるように設定された請求項１または２に記載の携帯端末装置。
【請求項４】
前記第１の筐体部に対して前記第１の回転軸を中心として前記脚部を回動させたとき、前記脚部は前記第１の筐体部の側部を基準として前方と後方に所定の角度範囲内で回転する請求項１〜３のいずれかに記載の携帯端末装置。
【請求項５】
前記脚部を前記第１の筐体部に対して離脱可能に係止する係止部を備えた請求項４に記載の携帯端末装置。
【請求項６】
前記第１の筐体部の主表面に、前方に向けられたフロントカメラ部を有する請求項１〜５のいずれかに記載の携帯端末装置。
【請求項７】
前記第１の筐体部の背面に、その前方に向けられたリアカメラ部を有する請求項１〜６のいずれかに記載の携帯端末装置。
【請求項８】
前記第２の筐体部は、前記第２の回転軸を中心として、前記第２の筐体部の背面が前記第１の筐体部の上側半分に接する第１の位置と、前記第２の筐体部の表面が前記第１の筐体部の下側半分に接する第２の位置との間で回転する請求項１〜７のいずれかに記載の携帯端末装置。
【請求項９】
前記第１の筐体部の上側半分の主表面にスピーカ部を有する請求項８に記載の携帯端末装置。
【請求項１０】
前記第２の筐体部の背面にサブ表示部を有する請求項８または９に記載の携帯端末装置。
【請求項１１】
前記第２の筐体部の背面にサブ操作部を有する請求項１０に記載の携帯端末装置。
【請求項１２】
複数のキーを含む操作部を主表面のほぼ下側半分の領域に収容した第１の筐体部と、
この第１の筐体部の主表面の上側半分の領域にほぼ相当する画面サイズを有する表示部を収容した第２の筐体部と、
前記第１の筐体部の両側部のほぼ中央部に設けられた第１の回転軸を中心として回動可能に一端部を支持され、前記中央部から前記第１の筐体部の下側半分の側部に沿ってほぼ前記第１の筐体部の下端まで伸びる脚部とを備え、
この脚部の前記第１の回転軸から前面側に所定距離だけ離れた位置において、第２の回転軸を中心として前記第２の筐体部が回動可能となるようにその両側部下端を脚部で支持した
携帯端末装置。
【発明の詳細な説明】
【技術分野】
【０００１】
本発明は、スタンド付きの携帯端末装置に関する。
【背景技術】
【０００２】
従来、携帯電話機に対して取り付け可能な外付けの三脚装置が提案されている（特許文献１参照）。この三脚装置を用いることにより、端末を手で保持せずにそのカメラ機能やＴＶ電話機能を使用することが可能となる。
【０００３】
また、携帯端末装置の充電用ホルダに端末の角度調整用の機能を持たせたものも提案されている（特許文献２参照）。これにより、端末の載置を可能とするとともに、縦斜め載置、横斜め載置の相互の移行を可能としている。
【０００４】
さらに、携帯電話本体に自立用のスタンドを設け、卓上載置を可能とする装置も提案されている（特許文献３参照）。
【先行技術文献】
【特許文献】
【０００５】
【特許文献１】特開２００６−２５４１８６号公報
【特許文献２】特開２００７−２０９１４４号公報
【特許文献３】特開２００３−８７２０号公報
【発明の概要】
【発明が解決しようとする課題】
【０００６】
しかしながら、特許文献１に記載の装置は外付けであるため端末本体とは別に携帯する必要があり不便であった。
【０００７】
特許文献２に記載の充電用ホルダも外付けの装置であり、別途携帯する必要があり、利便性に欠ける。また、この装置では端末の背面部分が隠れてしまうので、端末を充電用ホルダに載置した状態では携帯端末の前面にある機能しか使用することが出来ないという欠点があった。
【０００８】
特許文献３に記載の従来技術では、スタンドの角度の調整が出来ず携帯端末を自立させたときの仰角が一定であり、自立時に使用できる機能が限られたものとなるという問題があった。
【０００９】
本発明はこのような背景においてなされたものであり、外付け部品を用いることなく、携帯端末の使用目的に応じて種々の形態で載置することができるようにするものである。
【課題を解決するための手段】
【００１０】
本発明による携帯端末装置は、複数のキーを含む操作部を主表面のほぼ下側半分の領域に収容した第１の筐体部と、この第１の筐体部の主表面の上側半分の領域にほぼ相当する画面サイズを有する表示部を収容した第２の筐体部と、前記第１の筐体部の両側部のほぼ中央部に設けられた第１の回転軸を中心として回動可能に一端部を支持され、前記中央部から前記第１の筐体部の下側半分の側部に沿ってほぼ前記第１の筐体部の下端まで伸びる脚部とを備える。この脚部の前記第１の回転軸から前面側に所定距離だけ離れた位置において第２の回転軸を中心として前記第２の筐体部が回動可能となるようにその両側部下端を脚部で支持する。
【００１１】
この構成により、第１の筐体部に対する脚部の回転により、脚部がスタンドとして機能する。これに加えて、第１の筐体部に対する第２の筐体部の回転位置の変更により、携帯端末の使用目的に応じて携帯端末の種々の形態（形状）が可能となる。
【００１２】
前記所定距離は、前記脚部の長手方向を前記第１の筐体部の側部に沿うように前記脚部を位置させたとき、前記第２の筐体部の下端部と前記第１の筐体部の主表面との間に所定の間隙が生じるように設定される。これにより、前記第１の筐体部に対して前記第１の回転軸を中心として前記脚部を回動させたとき、前記脚部は前記第１の筐体部の側部を基準として前方と後方に所定の角度範囲内で回転することが可能となる。
【発明の効果】
【００１３】
本発明によれば、外付け部品を用いることなく、スタンドとして機能する脚部の位置や第１および第２の筐体部の位置関係を変更することができ、携帯端末の各種の機能に適した形態を選択することができる。
【００１４】
また、そのスタンドの動きを携帯電話本体の動きと連動させることにより、ワンタッチでスタンドを出し入れでき、各機能に合わせて本体の形態を変更させることが可能となる。
【図面の簡単な説明】
【００１５】
【図１】本発明の実施の形態に係る携帯電話端末の第１の使用形態を示した斜視図である。
【図２】本発明の実施の形態に係る携帯電話端末のカバー部材の説明図である。
【図３】本発明の実施の形態における携帯電話端末の第２の使用形態を示した図である。
【図４】本発明の実施の形態における携帯電話端末の第３の使用形態を示した図である。
【図５】本発明の実施の形態における携帯電話端末の第４の使用形態を示した図である。
【図６】本発明の実施の形態における携帯電話端末の第５の使用形態を示した図である。
【図７】本発明の実施の形態における脚部を第１の筐体部に対して離脱可能に係止する係止部の構成を示した図である。
【図８】図１に示した第１の使用形態の上部拡大図を側面から見た図である。
【図９】本発明の実施の形態における第１の回転軸の周辺の拡大図である。
【図１０】本発明の実施の形態における第１の回転軸の一部を側部から見た側面図と、背面から見た背面図である。
【発明を実施するための形態】
【００１６】
以下、本発明の好適な実施の形態について図面を参照しながら詳細に説明する。この実施の形態では、本発明の携帯端末装置として携帯電話端末を例として説明するが、必ずしも電話端末に限るものではない。
【００１７】
本実施の形態の携帯電話端末１００は可動の部分を有し、幾つかの使用形態を採りうる。図１にその典型的な第１の使用形態の斜視図を示す。この第１の使用形態は、通常の携帯電話端末のように、ユーザが端末本体を片手で把持して、電話やメール等の関連操作を行う場合の使用形態である。
【００１８】
携帯電話端末１００は、大別して、第１の筐体部１と、第２の筐体部２と、脚部３とを備えている。
【００１９】
第１の筐体部１は、複数のキーを含む操作部２５を主表面のほぼ下側半分の領域に収容している。第２の筐体部２は、第１の筐体部１の主表面の上側半分の領域にほぼ相当する画面サイズを有する表示部２３を収容している。
【００２０】
脚部３は、本体連動型スタンドとして機能し、第１の筐体部１の両側部のほぼ中央部に設けられた第１の回転軸５を中心として回動可能に一端部を支持されている。また、脚部３は、前記中央部から第１の筐体部１の下側半分の側部に沿ってほぼ第１の筐体部１の下端まで伸びている。この例では、脚部３は第２の筐体部２と第１の筐体部１とを相互に接続している部分３ａと、第１の筐体部１の側面を覆っている部分３ｂの２つからなっている。すなわち、脚部３は第１の筐体部１の下側半分の周囲を囲むように配置されたＵ字状部材で構成されている。このＵ字状部材の材質は、特に限定するものではなく、剛性を有する任意の材料、例えばプラスチック、金属等で構成することができる。部分３ａ，３ｂは別体として示したが、一体に形成されてもよい。
【００２１】
脚部３の第１の回転軸５から前面側に所定距離だけ離れた位置において、第２の回転軸４を中心として第２の筐体部２が回動可能となるようにその両側部下端を脚部３で支持している。すなわち、第２の回転軸４は第１の筐体部１と第２の筐体部２とを相互に回転可能に連結するヒンジとして機能する。
【００２２】
第１の回転軸５から第２の回転軸４までの「所定距離」は、脚部３の長手方向を第１の筐体部１の側部に沿うように脚部３を位置させたとき、第２の筐体部２の下端部と第１の筐体部１の主表面との間に所定の間隙１５（図８）が生じるように設定される。
【００２３】
図２（ａ）に示すように、第１の筐体部１と第２の筐体部２とは細線同軸２９（複数本）により電気的に繋がっている。細線同軸２９は第２の筐体部２の側面から出て、脚部部分３ａの外側を通り、第１の筐体部１の側面に入っていく。脚部部分３ａにカバー部品６を装着することにより細線同軸２９は外側から見えないようにすることができる。図２（ｂ）に示すように、カバー部品６は、部分３ａの爪受６ａ、穴６ｂおよびねじ穴６ｃに固定され、以下に説明する使用形態の変更時に起きる細線同軸２９のたわみによりカバー部品６が外れないようになっている。なお、これらの爪受６ａ、穴６ｂおよびねじ穴６ｃは体裁面からは見えないような配置となっている。
【００２４】
図３は、本実施の形態における携帯電話端末１００の第２の使用形態を示している。
【００２５】
逆に、第２の筐体部２を、第１の筐体部１の主平面に沿って下方（矢印３１の方向）に平行移動させると、回転軸４、脚部部分３ａ、回転軸５と力が伝わっていき平行移動が脚部３の回転運動に変わる。すなわち、第１の筐体部１に対して第１の回転軸５を中心として脚部３が回動する。本例では、脚部３は第１の筐体部１の側部を基準として前方と後方に所定の角度範囲内で回転可能となっている。図３は、矢印３２に示すように、脚部３を後方に回転させた状態を示している。そうすることにより脚部部分３ｂが後方に回転してせり出し、図３のような状態になる。この状態では第１の筐体部１の底面と脚部部分３ｂの底面が接地され、端末本体を自立させることが出来る。これにより、端末を持たずに自立させたまま、第２の筐体部２の前方側の主表面にある画面前方に向けられたサブカメラ７（フロントカメラ部）を用いてＴＶ電話を行うことが可能となる。
【００２６】
第２の筐体部２は、第２の回転軸４を中心として、第２の筐体部２の背面が第１の筐体部１の上側半分に接する第１の位置（図３）と、第２の筐体部２の表面が第１の筐体部１の下側半分に接する第２の位置（図６）との間で回動する。
【００２７】
図４は、本実施の形態における第３の使用形態を示している。第２の筐体部２を第１の筐体部１の主平面に沿って上方（矢印３３の方向）に平行移動させると、回転軸５を中心にして脚部部分３ｂが前方にせり出し、図４の状態になる。この状態においても図３と同様に端末本体を自立させることが出来る。この状態では、操作部２５の背面にあるメインカメラ８（リアカメラ部）を用いて撮影を行うことが出来る。また、端末本体を自立させることにより、外付けの三脚を用いずに安定した写真を撮影する、集合写真を撮る、などの使用方法が考えられる。
【００２８】
図５は、第２の筐体部２が第１と第２の位置の中間の位置にある、本実施の形態における第４の使用形態を示している。第２の筐体部２を矢印３４に沿って前方に回転させると、脚部部分３ａが回転軸５を中心にして回転して脚部部分３ｂが後方にせり出し、図５のような状態となる。同時に表示部２３の上部に装着されているスピーカ９（この例では２基）が現れる。また、表示部２３の背面には、サブ表示部としての液晶画面１０と、サブ操作部としての操作盤１１が配置されている。ユーザは、これらの要素を用いて、音楽やラジオを聴くことが可能となっている。図５の使用形態では、イヤホン等を用いて一人で聴くのではなく、外付けのスピーカを用いたのと同等の性能で、多人数で音楽やラジオを楽しむといった使用方法が可能となる。
【００２９】
図６は、第２の筐体部２が「第２の位置」にある、本実施の形態における第５の使用形態を示している。図５の使用形態から、さらに第２の筐体部２を下向きに回転させて（図１の状態から１８０度の回転）、第１の筐体部１の下半分を完全に第２の筐体部２により隠す図６のような使用形態にも変更可能である。
【００３０】
図５と図６の使用形態の差異として、図５の使用形態においては第１の筐体部１が隠されていないため、操作部２５の各キーに好きな曲やラジオ局を割り当てることによりワンタッチでそれらを選択可能とすることができる。一方、図６の使用形態においては、第２の筐体部２が第１の筐体部１下部に折り畳まれる状態になるため見た目が図５の使用形態と比べてすっきりした印象となる。
【００３１】
なお、第２の筐体部２の背面の操作盤１１に設けられた突起１４の機能については後述する。
【００３２】
次に、図７〜図１０を用いて機構上の各種の工夫点について説明する。
【００３３】
図７は、脚部３を前記第１の筐体部に対して離脱可能に係止する係止部の構成を示したものであり、第１の筐体部１と脚部部分３ｂの下部の拡大図を側面から見た断面図である。それぞれ、左側の図は図１の使用形態、右側の図は図３〜図７の使用形態に対応する図である。図７に示すように、第１の筐体部１の底面には半球状の突起１２が設けられるとともに、脚部部分３ｂの上面にはその突起に対応するような形状の穴１３が開いている。これにより、図１の使用形態において突起１２が穴１３に嵌合することにより、脚部３全体がぶらつくのを防ぐ。また、脚部３を回転させた場合にも突起１２が脚部部分３ｂに干渉することはない。
【００３４】
図８は、図１に示した第１の使用形態の上部拡大図を側面から見た図である。第２の筐体部２の背面の操作盤１１の上部には突起１４が設けられている。この突起１４は、図１の使用形態における第２の筐体部２と第１の筐体部１の間隙１５による第２の筐体部２のガタツキを抑える役割を担っている。また、間隙１５は、回転軸５を中心とした脚部３の所定の範囲内での回転を可能としている。回転範囲の上限および下限では第２の筐体部２自体が回転のストッパとして機能する。なお、図３に示したように、第２の筐体部２を下方に移動させた場合は、突起１４はスピーカ９部分の窪みに収納され、使用形態変更の妨げにはならない。
【００３５】
図９は、回転軸５の周辺の拡大図である。回転軸５が嵌合する第２の筐体部２の中央の穴の内周には、所定角度（この例では１２０度）間隔で複数箇所（この例では３箇所）に突起１６が設けられている。この突起１６により、回転軸５と第１の筐体部１の穴内側との接触が面接触ではなく点接触となる。これにより、回転軸５の回転時のブレが低減され、かつ回転軸５の摺動性を高める効果がある。また、回転軸５の回転のブレが大きかった場合は突起の高さを変更すればブレの調整が可能である。よって、穴の径全体を変更するよりも容易に回転ブレの改善をすることが出来る。
【００３６】
図１０（ａ）（ｂ）は、それぞれ、回転軸５（黒く塗りつぶされているのが軸５）を垂直方向に半分に切断し、その一部を側部から見た側面図と、背面から見た背面図である。回転軸５は操作部２５内部を貫通して一本の軸となって左右の脚部部分３ａを繋いでいる。第２の筐体部２の動きに連動して左右の脚部部分３ａが同時に動き、かつ等しい力がかかる。この作用により、脚部部分３ｂの捩れとたわみを防いでいる。
【００３７】
本実施の形態によれば、表示部２３を有する第２の筐体部２と脚部３の連動および機構的な工夫により、脚部３の開閉を簡単かつスムーズに行うことが出来る。また、使用用途別に脚の角度が変更可能であり、従来技術と比べて汎用性が高くなった。さらに、脚部３やスピーカ９が本体に収納されているため、外付けの部品を用いることなく、様々な携帯電話端末の機能を最大限に活用することが可能となった。
【００３８】
以上、本発明の好適な実施の形態について説明したが、上記で言及した以外にも種々の変形、変更を行うことが可能である。例えば、脚部はＵ字状部材としたが、Ｕ字の底辺部の全体または一部を欠く構成であってもよい。脚部３は、その回転可能な範囲内の任意の角度に設定できるものとしたが、特定の角度位置でクリック感をもって回転停止するような構成としてもよい。そのためには例えば、脚部部分３ａと第１の筐体部１の互いの接触面において、一方に突起を設け、他方にこの突起の移動軌跡上で嵌合する複数の穴を設ける。カメラ部７の設置位置は第２の筐体部２の前面にあれば図示の位置に限るものではない。カメラ部８の設置位置は第１の筐体部１の背面にあれば図示の位置に限るものではない。スピーカ９の個数は２個に限るものではなく、１個であってもよい。
【符号の説明】
【００３９】
１…第１の筐体部、２…第２の筐体部、３…脚部、３ａ…脚部部分、３ｂ…脚部部分、４…第２の回転軸、５…第１の回転軸、６…カバー部品、６ａ…爪受、６ｂ…穴、６ｃ…ねじ穴、７…サブカメラ、８…メインカメラ、９…スピーカ、１０…液晶画面、１１…操作盤、１２…突起、１３…穴、１４…突起、１５…間隙、１６…突起、２３…表示部、２５…操作部、２９…細線同軸、１００…携帯電話端末
【図１】
2010171698.tif 000003
【図２】
2010171698.tif 000004
【図３】
2010171698.tif 000005
【図４】
2010171698.tif 000006
【図５】
2010171698.tif 000007
【図６】
2010171698.tif 000008
【図７】
2010171698.tif 000009
【図８】
2010171698.tif 000010
【図９】
2010171698.tif 000011
【図１０】
2010171698.tif 000012